(57)【要約】【課題】  複数のＩＰ電話の事業者がある場合に、初期設定において自動的に事業者を選択し、間違わないようにする。【解決手段】  ＲＯＭ３には、電話番号と事業者を対応つけたテーブルＴＢＬおよび事業者毎の初期設定画面が記憶されている。初期設定時にＬＡＮコントローラ８に接続されたＰＣ１０から自己の電話番号が入力されると、ＣＰＵ２はテーブルＴＢＬを参照して事業者を特定し、特定した事業者に対応する初期設定画面をＲＯＭ３から読み出してＰＣ１０に送信する。ＰＣ１０では送信された初期設定画面を表示し、これに従って初期入力項目を入力する。このようにして入力された事項に基づいて、ＣＰＵ２が初期設定を行う。【選択図】      図１
2005295314.tif 000002
【特許請求の範囲】
【請求項１】
初期設定用の設定画面が複数の事業者に応じて記憶されている設定画面記憶手段と、
電話番号と前記各事業者との対応関係を示す事業者特定テーブルと、
電話番号が入力されると前記事業者特定テーブルを参照して当該電話番号を取り扱う事業者を特定し、特定した事業者に対応する設定画面を前記設定画面記憶手段から読み出す設定画面選択手段と、
前記設定画面選択手段が読み出した設定画面を出力する設定画面出力手段と、
前記設定画面出力手段によって出力された設定画面に対する応答としての入力データを受け取り、受け取った入力データに基づいて初期設定を行う初期設定手段
とを具備することを特徴とするＩＰ電話装置。
【請求項２】
発呼の際に入力された相手側電話番号がどの事業者の管轄であるかを前記事業者特定テーブルを参照して特定し、特定した事業者に対して接続処理を行う事業者別接続手段を有することを特徴とする請求項１記載のＩＰ電話装置。
【請求項３】
前記事業者特定テーブルは、事業者の系列を示す系列特定情報を各事業者について記憶し、前記事業者別接続手段は発呼の際に入力された相手側電話番号がどの系列の管轄であるかを前記事業者特定テーブルを参照して特定し、特定した系列の事業者に対して接続処理を行うことを特徴とする請求項２記載のＩＰ電話装置。
【発明の詳細な説明】
【技術分野】
【０００１】
本発明は、初期設定を容易に行うことができるＩＰ電話装置に関する。
【背景技術】
【０００２】
インターネットを利用したＩＰ(Internet Protocol)電話が広く普及しつつある。このＩＰ電話は、インターネット上で割り当てられたＩＰアドレスによって識別されるため、呼接続を行うには、相手のＩＰアドレスを知る必要がある。ＩＰ電話の事業者は、加入者のＩＰ電話の電話番号とＩＰアドレスとの対応付けをデータベースで管理している。このようなＩＰアドレスの管理については、例えば、特許文献１に記載がある。また、この特許文献１には、ＩＰアドレスの検索を短時間に行い、呼の設定を早く行うことができる発明が開示されている。
【特許文献１】特開２００３−１５８５５３号公報
【発明の開示】
【発明が解決しようとする課題】
【０００３】
ところで、ＩＰ電話の使用を開始するに当たっては、事業者によって決められた初期設定を個々のＩＰ電話装置について行う必要がある。ところが、ＩＰ電話の事業者はいずれかの系列に属し、各系列毎に違う設定をする必要があるため、どのような初期設定を行えばよいかが分かりにくいという問題があった。
例えば、一つのインターネットプロバイダが複数のＩＰ電話サービスを提供し、それらが異なる系列に属している場合がある。このような場合、ユーザーはどのような設定をすればよいか分かりにくい。そして、初期設定において、系列を間違えると正常につながらないなどのトラブルが発生した。
上記のように初期設定操作に難しさがあったが、初期設定の問題を解消する従来装置はなく、ユーザの操作に委ねられていた。
【０００４】
本発明は、上述した背景の下になされたものであり、ＩＰ電話の事業者を間違うことなく選択し、初期設定操作を容易に行うことができるＩＰ電話装置を提供することを目的とする。
【課題を解決するための手段】
【０００５】
上述した課題を解決するため本発明は、初期設定用の設定画面が複数の事業者に応じて記憶されている設定画面記憶手段と、電話番号と前記各事業者との対応関係を示す事業者特定テーブルと、電話番号が入力されると前記事業者特定テーブルを参照して当該電話番号を取り扱う事業者を特定し、特定した事業者に対応する設定画面を前記設定画面記憶手段から読み出す設定画面選択手段と、前記設定画面選択手段が読み出した設定画面を出力する設定画面出力手段と、前記設定画面出力手段によって出力された設定画面に対する応答としての入力データを受け取り、受け取った入力データに基づいて初期設定を行う初期設定手段とを具備することを特徴とする。
【０００６】
上記構成にあっては、発呼の際に入力された相手側電話番号がどの事業者の管轄であるかを前記事業者特定テーブルを参照して特定し、特定した事業者に対して接続処理を行う事業者別接続手段を有すると、共通の事業者を選択することができ、電話料金等において有利である。
【０００７】
また、前記事業者特定テーブルは、事業者の系列を示す系列特定情報を各事業者について記憶し、前記事業者別接続手段は発呼の際に入力された相手側電話番号がどの系列の管轄であるかを前記事業者特定テーブルを参照して特定し、特定した系列の事業者に対して接続処理を行うようにすると、事業者が系列に別れてサービスを行っている場合に好適である。
【発明の効果】
【０００８】
本発明によれば、電話番号を入力するだけで、その電話番号を管轄する業者の初期設定画面が選択されるので、ユーザが業者の選択を間違うことなく、かつ表示された初期設定画面に従った操作を行うだけで初期設定操作を行うことができる。
また、より望ましい態様においては、発呼の際に、相手側と同じ事業者あるいは同じ系列の事業者が選択されるので、電話料金等において有利な扱いを受けることが期待できる。
【発明を実施するための最良の形態】
【０００９】
［Ａ．第１実施形態］
図１は、本発明の第１実施形態であるＩＰ電話用ルータ（ＩＰ電話装置）の構成を示すブロック図であり、符号１がＩＰ電話用ルータである。また、図１に示す２はＣＰＵであり、ＲＯＭ３内のプログラムに基づいて動作し、装置各部を制御する。４はＣＰＵ２のワークエリアとして用いられるＲＡＭである。なお、ＲＯＭ３内には、ＣＰＵ２で用いるプログラムの他、各種のテーブルや初期設定用の画面データなどが記憶されている。
５は電話機Ｔ１、Ｔ２とＣＰＵ２との間での信号の圧縮、伸張を行うコーデックであり、電話機Ｔ１、Ｔ２から供給される音声信号やダイヤル音信号をデジタル化した後に所定のフォーマットのデジタル信号に圧縮するとともに、ＣＰＵ２から供給される圧縮されたデジタル信号を伸張してアナログに変換し、電話機電話機Ｔ１、Ｔ２に供給する。コーデック５は、複数の電話機が接続可能であるが、図示の例では２台の電話機Ｔ１、Ｔ２が接続されている。
【００１０】
次に、８はＬＡＮコントローラであり、複数のイーサネット（登録商標）の端子を有し、これらの端子に接続された機器とＣＰＵ２との間で信号の授受を行う。図示の例では、パーソナルコンピュータ（以下ＰＣと略称する）１０がＬＡＮコントローラ８に接続されている。１２はＷＡＮコントローラであり、モデム（図示略）との間の信号の授受を制御する。ＣＰＵ２はＷＡＮコントローラ１２およびモデムを介してインターネットと接続される。
【００１１】
図２は、ＲＯＭ３に記憶されているテーブルＴＢＬを示す図である。この図に示すように、テーブルＴＢＬには電話番号と事業者との対応関係が記録されている。図示の例では、電話番号０５０−００００−００００〜０５０−００００−９９９９までは○○コミュニケーションズと対応付けがされており、また、電話番号０５０−０００１−００００〜０５０−０００１−９９９９は××コミュニケーションズと対応付けがされている。このように、本実施形態においては、電話番号の範囲（連続番号の開始番号と終了番号）によって業者を特定するようにしている。これは一般に業者に割り当てられた電話番号が続き番号になっているからである。なお、図２では２社への対応を示したが、実際にはテーブルＴＢＬには業者の数だけ対応付けがなされている。
【００１２】
次に、上記構成による本実施形態の動作を説明する。まず、ユーザはＰＣ１０を操作し、ブラウザを立ち上げて所定のＵＲＬを入力する。所定のＵＲＬとはＩＰ電話用ルータ１のハードウエアを特定し、さらに、ＲＯＭ３に記憶されている初期設定画面の最初のページ（スタート画面）に対応するＨＴＭＬファイルを示すＵＲＬである。なお、ユーザは、このＵＲＬをＩＰ電話用ルータ１の取扱説明書等から知る。
ＰＣ１０から所定のＵＲＬが入力されると、ＩＰ電話用ルータ１のＣＰＵ２がこのＵＲＬを認識し、ＲＯＭ３内のスタート画面を読み出して、ＰＣ１０に送信する。この結果、ＰＣ１０には図３に示す画面が表示される。図３に示す画面においては、上部に「ＩＰ電話サーバの新規登録」という表示がなされ、ユーザに初期設定処理が開始されることを示す。また、画面中央部には、「自動選択」「○○コミュニケーションズ」「××コミュニケーションズ」「その他のＩＰ電話サーバ」という項目が表示され、各項目の左側にはラジオボタンＲ１〜Ｒ４が表示されている。ラジオボタンＲ１〜Ｒ４は、マウス等でクリックすることにより点灯表示され、当該項目が選択されたことを示す。また、「自動選択」の項目の右側には、電話番号入力用の窓Ｗ１が設けられている。
【００１３】
ここで、ユーザがラジオボタンＲ１をクリックすると、その旨を示す信号がＣＰＵ２に供給され、これにより、ＣＰＵ２は「自動選択」が選択されたことを知る。そして、ＣＰＵ２は窓Ｗ１への電話番号の入力を可能にする。次に、ユーザが窓Ｗ１に対して自己の電話番号を入力する。
ユーザが入力した電話番号はＣＰＵ２に供給され、ＣＰＵ２はＲＯＭ３内のテーブルＴＢＬを参照して事業者を特定する。すなわち、ユーザから入力された電話番号が０５０−００００−９８７９であれば、図２に示すテーブルＴＢＬを参照することにより、事業者は○○コミュニケーションズであることが分かる。この結果、ＣＰＵ２はＲＯＭ３から○○○コミュニケーションズの初期設定画面を読み出し、ＰＣ１０に送信する。これにより、ＰＣ１０には図４に示す初期設定画面が表示される。図４に示す画面においては、中央部の上段に「○○コミュニケーションズ系ＩＰ電話サーバの登録」という表示がなされ、ユーザに○○コミュニケーションズ系の設定であることを示す。この表示の下には、「ＶｏＩＰサーバ名」「サービスドメイン」「ＶｏＩＰユーザーＩＤ」「ＶｏＩＰユーザーパスワード」の各項目の入力を促す表示がなされ、各項目の右側には該当する事項を入力する窓が表示される。ただし、図３に示す画面において入力された電話番号は「ＶｏＩＰ電話番号」の項目の窓に既に表示されている。
【００１４】
ユーザがそれぞれの項目の入力を終えた後、画面下部に表示されている「設定の確定」のボタンをクリックすると、ＣＰＵ２は入力された各項目の内容に基づいて初期設定を行う。以上のようにして、ユーザが自己の電話番号を入力すれば、その番号に対応した事業者の初期設定画面が自動的に選択されて表示されるので、ユーザは間違うことなく初期設定を行うことができる。
【００１５】
一方、図３に示す窓Ｗ１から入力されるユーザの電話番号が０５０−０００１−３９５３であった場合は、ＣＰＵ２はＲＯＭ３内のテーブルＴＢＬを参照することにより（図２参照）、この電話番号の事業者が××コミュニケーションであることを認識する。そして、ＣＰＵ２はＲＯＭ３内の××コミュニケーションの初期登録画面を読み出してＰＣ１０に送信する。この結果、ＰＣ１０には図５に示す初期設定画面が表示される。図５に示す初期設定画面は、図４に示す初期設定画面と、同じ機能を持つものであるが、事業者が異なるために各入力項目の名称が異なっている。すなわち、設定項目として「ドメイン名」「サーバアドレス」「ＩＰ加入電話番号」「アカウントＩＤ」「ＩＰ加入電話パスワード」となっている。図４と図５を見比べれば分かるように、事業者が異なることで、入力項目の名称も異なってくる。このような差異も、ユーザの初期設定の事業者を間違う要因であるが、本実施形態によれば電話番号を入力するだけで、自動的に正しい事業者が選択されるから、ユーザは画面に従って入力を行えばよい。なお、「ＩＰ加入電話番号」の窓には、図３に示す画面において入力された番号がそのまま表示される。
また、図３に示す窓Ｗ１から入力されるユーザの電話番号がテーブルＴＢＬで対応付けのなされていない番号であった場合は、ＣＰＵ２はＲＯＭ３から図６に示す初期設定画面を読み出してＰＣ１０に送信する。図６に示す初期設定画面は比較的汎用に使用できる初期設定画面である。
【００１６】
なお、図３に示すスタート画面から「○○コミュニケーションズ」「××コミュニケーションズ」および「その他のＩＰ電話サーバ」のいずれかのラジオボタンＲ２〜Ｒ４が押された場合は、それぞれの項目に対応した初期設定画面、ずなわち、図４，図５および図６の初期設定画面がＰＣ１０に直ちに表示される。
【００１７】
［Ｂ．第２実施形態］
次に、本発明の第２実施形態について説明する。第２実施形態におけるハードウエアの構成は第１実施形態とほぼ同様であるが、２つの事業者に対して初期設定が行えるようになっているため、図１に示すＷＡＮコントローラ１２が２つ設けられている。
図７は、第２実施形態が適用される環境を示すブロック図である。図において第２実施形態であるＩＰ電話用ルータ１はビル３０内に設置されている。このＩＰ電話用ルータ１は、事業者ＩＴＳＰ１とＩＴＳＰ３に接続されている。なお、図においてモデムは図示省略した。また、図７において、事業者ＩＴＳＰ１とＩＴＳＰ２は同じ系列のグループＡに属し、事業者ＩＴＳＰ３は別の系列のグループＢに属している。
【００１８】
図７に示す３５は構内交換機であり、複数の電話機Ｔ１１，Ｔ１２，Ｔ１３，Ｔ１４が接続されている。これらの電話機Ｔ１１，Ｔ１２，Ｔ１３，Ｔ１４は、構内交換機３５およびＩＰ電話ルータ１と接続される。５０は公衆電話網であり、固定電話が接続される。図に示す電話機４０は公衆電話網５０に接続される電話機の一つである。ＩＰ電話の事業者ＩＴＳＰ１、ＩＴＳＰ２、ＩＴＳＰ３は、ぞれぞれゲートウエイ４０，ゲートウエイ４２、ゲートウエイ４４介して固定電話網５０との間で通信が行えるようになっている。また、事業者ＩＴＳＰ１とＩＴＳＰ２はゲートウエイ４１を介して通信が行えるようになっており、事業者ＩＴＳＰ２とＩＴＳＰ３はゲートウエイ４３を介して通信が行えるようになっている。なお、事業者ＩＴＳＰ１とＩＴＳＰ３もゲートウエイを介して通信が行えるようになっているが、これについては図示を省略した。
次に、第２実施形態におけるテーブルＴＢＬの記憶内容を図８に示す。この図に示すように、電話番号の範囲と事業者の対応付けが記憶されるとともに、各事業者についてその系列を示すグループ名が記憶されている。
【００１９】
次に、第２実施形態の動作を説明する。第２実施形態における初期設定動作は、前述した第１実施形態の動作と同様である。第２実施形態においては、初期設定後の発呼処理に特徴がある。以下、発呼処理について説明する。
今、電話機Ｔ１０のユーザが所望の相手に電話をかけたとする。ＣＰＵ２は、相手の電話番号とテーブルＴＢＬを参照して、相手が契約している事業者を特定し、グループ名を認識する。例えば、相手が電話機Ｔ２０であり、その電話番号が０５０−００１１−３３４４であったとすると、ＣＰＵ２はテーブルＴＢＬを参照して、相手が契約している事業者はＩＴＳＰ２であり、その系列はグループＡであると判定する。この結果、ＣＰＵ２は事業者ＩＴＳＰ１側に接続されているＷＡＮコントローラ１２（図１参照）を選択して通信を行う。これにより、電話機Ｔ１０は事業者ＩＴＳＰ１、ゲートウエイ４１、事業者ＩＴＳＰ２を介して電話機Ｔ２０と通話することができる。
【００２０】
一方、電話機Ｔ１１のユーザが電話機Ｔ３０に電話をかけ、その電話番号が０５０−００１２−４４５６であったとする。この電話番号が供給されると、ＣＰＵ２はテーブルＴＢＬを参照して、当該電話番号が事業者ＩＴＳＰ３の管轄であり、系列はグループＢであることを認識する。この結果、ＣＰＵ２は事業者ＩＴＳＰ３に接続されているＷＡＮコントローラ１２を選択して通信を行う。これにより、電話機Ｔ１１は、事業者ＩＴＳＰ３を介して電話機Ｔ３０と通話することができる。
【００２１】
また、相手の電話番号が固定電話のものであれば、ＣＰＵ２は２つのＷＡＮコントローラ１２のいずれか（例えば空いている方）を選択して通信を行う。
以上のように、この実施形態によれば、ＩＰ電話をかける場合には、相手が契約している事業者と同じ系列の事業者を選択して電話をかけることができる。一般に、同一系列内での通話は無料として運営されているので、本実施形態によれば電話料金を大幅に下げることができる。
【００２２】
なお、本実施形態においては相手と同じ系列の事業者に接続するようにしたが、相手と同じ事業者に接続するようにすることもできる。この場合においてはテーブルＴＢＬには系列を示す情報は不要になる。
【００２３】
［Ｃ．変形例］
以上、本発明の実施形態について説明したが、本発明は上述した実施形態に限定されることなく、他の様々な形態で実施可能である。例えば、上述の実施形態を以下のように変形して本発明を実施してもよい。
【００２４】
上記実施形態は、ＩＰ電話用ルータとして本発明を実施した例であったが、ＩＰ電話機に同じ機能を組み込んでもよい。また、モデム（例えば、ＡＤＳＬモデムや光ファイバー用のモデム）と電話機との間を仲介するＩＰ電話アダプタに同じ機能を設けてもよく、さらに、このようなＩＰ電話アダプタにモデム機能を組み込んでもよい。また、上述した各実施形態のＩＰ電話用ルータにモデムを組み込んでもよい。
【００２５】
上述した実施形態においては、ＬＡＮコントローラ８に接続されたＰＣ１０を用いて初期設定を行ったが、ＰＣ１０を用いず、電話機を用いて初期設定を行っても良い。すなわち、電話機のダイヤル信号を用いて各種の設定項目を入力してもよい。この場合には、本体に液晶表示装置等を設け、入力項目を示すようにする。また、電話機に液晶表示部がある場合は、電話機側に表示させてもよい。例えば、設定項目を１つずつ表示して順次入力を行うように促してもよい。入力に際しては、電話機のダイヤル信号で数値あるいはアルファベットを入力させるが、アルファベットの入力に際しては、ダイヤル信号をアルファベットに変換するプログラムを本体側あるいは電話機側に組み込んでおく。
【００２６】
上述した第２実施形態においては、ＷＡＮコントローラ１２を複数設け、物理的に回線が複数存在するようにしたが、物理的な回線は一本で、論理回線を複数確立するように構成してもよい。例えば、ＰＰＰｏＥ（PPP over Ethernet（登録商標））のセッションを複数確立する、あるいはＰＰＰｏＥのセッションは一つでもＩＰ(Internet Protocol)レベルで複数の論理回線を確立する。
【００２７】
上述した実施形態におけるテーブルＴＢＬは、ＲＯＭ３内に固定的に書き込まれていたが、事業者に割り振られる電話番号の範囲が拡張、変更になることや、新規に参入してくる事業者がある場合は、テーブルＴＢＬを書き換え可能に構成してもよい。書き換えは、事業者からオンラインで直接行うこともできる。
【００２８】
図６に示すような比較的汎用性のある初期設定画面を複数の事業者の初期設定用に兼用する場合には、選択された事業者において入力を要しない項目は、画面から消すように表示したり、薄くグレー表示してもよい。
【００２９】
上述した実施形態におけるテーブルＴＢＬは、連続する電話番号の開始番号と終了番号を記憶することにより、事業者を特定したが、このような範囲を記憶する態様に限らず、事業者が特定できればどのような態様でもよい。例えば、特定の桁の番号で事業者が特定できる場合は、その桁の番号と業者の対応を記憶しておけばよい。
【図面の簡単な説明】
【００３０】
【図１】本発明の第１実施形態の構成を示すブロック図である。
【図２】同実施形態におけるテーブルＴＢＬの記憶内容を示す図である。
【図３】同実施形態の初期設定のスタート画面を示す図である。
【図４】同実施形態の初期設定画面の一例を示す図である。
【図５】同実施形態の初期設定画面の一例を示す図である。
【図６】同実施形態の初期設定画面の一例を示す図である。
【図７】本発明の第２実施形態が適用される環境を示すブロック図である。
【図８】同実施形態におけるテーブルＴＢＬの記憶内容を示す図である。
【符号の説明】
【００３１】
１・・・ＩＰ電話用ルータ（ＩＰ電話装置）、２・・・ＣＰＵ（設定画面選択手段；設定画面出力手段；初期設定手段；事業者別接続手段）、３・・・ＲＯＭ（設定画面記憶手段）、８・・・ＬＡＮコントローラ（設定画面出力手段）、１２・・・ＷＡＮコントローラ（事業者別接続手段）、ＴＢＬ・・・テーブル（事業者特定テーブル）。
【図１】
2005295314.tif 000003
【図２】
2005295314.tif 000004
【図３】
2005295314.tif 000005
【図４】
2005295314.tif 000006
【図５】
2005295314.tif 000007
【図６】
2005295314.tif 000008
【図７】
2005295314.tif 000009
【図８】
2005295314.tif 000010